(57)【要約】【課題】基板に開口させる装着窓穴の寸法がより小さくでき、部品数が少なくて製造組み立てコストをより低いものとでき、更に少ない部品の設計変更によって基板に対する取り付け高さの変更を容易にする。【解決手段】方形状の底版部１と該底版部周囲の４辺部から上方に立ち上げた前後壁部２，３及び左右壁部４，５によって囲まれた上方開放型のカメラモジュール収容部を有するハウジングを備え、前記底版部１と前後壁部２，３とを、絶縁性合成樹脂材によって一体成形されたモールド材Ａによって構成し、前記底版部下面を覆う底面シールド部６と、その両側縁より一体に立ち上げた左右側面シールド部７，８とを一体に有するシールド材Ｂを使用し、該シールド材の前記左右側面シールド部７，８をもって前記左右壁部４，５を構成させる。【選択図】  図２
2011028902.tif 000002
【特許請求の範囲】
【請求項１】
方形状の底版部と該底版部周囲の４辺部から上方に立ち上げた前後壁部及び左右壁部によって囲まれた上方開放型のカメラモジュール収容部を有するハウジングを備え、該ハウジングの前記前後壁部にコンタクトが支持され、該コンタクトのモジュールに対する接触片部を前記底版部からその上面側に突出させるとともに、該コンタクトの基板側接続端子を前記前後壁部の外面の所望高さ位置に並べて突出させ、前記ハウジングは、底版部、左右壁部及び前後壁部をシールド材によってシールドさせるとともに、前記前後壁部より突出したコンタクトの基板側接続端子の上側をシールド材によってシールドさせ、基板に対し前記ハウジングの下部を基板の表裏に貫通開口させたソケット装着窓穴内に挿入させて固定させるカメラモジュールソケットにおいて、
前記ハウジングの底版部と前後壁部とを構成する断面が凹溝状のモールド材と、底面シールド部とその両側縁より一体に立ち上げた左右側面シールド部とを導電性金属板材によって一体成形された断面が凹溝状の第1シールド材とを使用し、
前記モールド材とシールド材とを、該モールド材の底版部下面に前記第1シールド材の底面シールド部を重ねるとともに、前記左右側面シールド部をもって該モールド材の左右の開放部を閉鎖するように組み合わせて互いに固定し、該第1シールド材の左右側面シールド部によってハウジングの前記左右壁部を構成させたことを特徴としてなるカメラモジュールソケット。
【請求項２】
前記両側面シールド部の前後端部上縁に前記前後壁部に対する圧入片部を一体に備えるとともに、前記モールド材の前後壁部のそれぞれの両側端部に下向きの側面シールド部固定用の圧入穴を備え、該圧入穴に前記圧入片部を圧入して前記モールド材と第1シールド材とを固定した請求項1に記載のカメラモジュールソケット。
【請求項３】
前記左右壁部を構成する左右側面シールド部には、それぞれの上縁より外側に折り返した折り返し片部を一体に備え、該折り返し片部の下端を外向き水平方向に折り曲げた形状に前記基板表面に当接される対基板当接片を一体に備えてなる請求項1又は2に記載のカメラモジュールソケット。
【請求項４】
前記前後壁部をシールドするシールド材は、前記底面シールド部の前後縁から一体に立ち上げた壁部下側シールド片部と、前記前後壁部に支持させた壁部上側シールド片部とからなり、該上下側シールド片部間に前記コンタクトの接続端子を水平方向外側に向けて突出させ、該接続端子の上側を前記上側シールド部より外向き水平方向に突出させた接続端子シールド片部によって覆ってなる請求項１〜3の何れか1に記載のカメラモジュールソケット。
【請求項５】
前記前後面シールド部のそれぞれの上側シールド片は、その上縁より内側下向きに折り返した固定片部を一体に有し、該固定片部を前記モールド材によって形成された前後壁部の上面に開口させた固定片圧入穴に圧入することによって固定されている請求項１〜４の何れか１項に記載のカメラモジュールソケット。
【請求項６】
前記左右側面シールド部のそれぞれに、その前後縁を前記前後壁部の外側に沿うように折り曲げた前・後面シールド部接触片部を一体に有し、該接触片部に前記前後面シールド部を接触させることによって互いに導通させている請求項１〜５の何れか１項に記載のカメラモジュールソケット。
【発明の詳細な説明】
【技術分野】
【０００１】
本発明は、主に携帯電話などの電子機器に対して小型のカメラモジュールを取り付けるためのカメラモジュールソケットに関する。
【背景技術】
【０００２】
一般に、携帯電話などの電子機器に小型のカメラモジュールを組み込むために、カメラモジュールソケットが使用されている。この従来のカメラモジュールソケットにおいて、特に携帯電話などの小型電子機器に使用する場合、ソケットを取り付けるプリント配線基板（以下基板と記す）の表面側に充分な高さの収容スペースがない場合には、基板にソケット装着用窓穴を貫通開口させ、その中にソケットの下端側を挿入して装着する、言わば窓穴内落し込み式による取付方法が採用されている（例えば特許文献１，２）。
【０００３】
この種の従来のカメラモジュールソケットは、絶縁性合成樹脂によりモールド成形されたハウジング（モールドハウジング）を使用しており、このモールドハウジングは、方形状をした底版部の４辺から立ち上げた前後壁部及び左右壁部からなる周壁を一体に有し、全体が方形状をした上方開放の箱型に形成され、このモールドハウジングに必要なコンタクトを組み込むとともに、底版及び前後左右壁部からなる周壁の外側を覆う配置にシールド材を取り付けているものであった。
【０００４】
また、前述した窓穴内落し込み式による装着の場合には、基板の窓穴の縁部表面に設けたパターン端子部に、ハウジングから突出させたコンタクトの端子部を半田付けする方法が採用されており、この場合にはハウジングの周壁の中間高さ位置から基板接続用の端子を突出させている。
【先行技術文献】
【特許文献】
【０００５】
【特許文献１】特開２００５−２７６６２６号公報
【特許文献２】特開２００６−１４０１１１号公報
【発明の概要】
【発明が解決しようとする課題】
【０００６】
上述の如き、従来のカメラモジュールは、箱型にモールド成形されたハウジングを使用し、その外側をシールド材にて覆うことによりシールドしているため、周壁全体の厚さが大きくならざるを得ず、このため、基板に対する取付のための装着窓穴が大きくなり、基板占用スペースを多く要するという問題があった。
【０００７】
また、窓穴内落し込み式取付方式では、基板に接続する端子を周壁の中間高さ位置に突出させる必要から、シールド材の形状が複雑であり、また部品点数も多いという問題があった。
【０００８】
更に、基板に対する取り付け高さを違えたものを製造する際に、そのための設計変更を要する部品数が多く、コスト高となるという問題があった。
【０００９】
本発明は、上述の如き従来の問題を鑑み、基板に開口させる装着窓穴の寸法がより小さくでき、部品数が少なくて製造組み立てコストをより低いものとでき、更に少ない部品の設計変更によって基板に対する取り付け高さの変更が容易かつ低コストにて可能なカメラモジュールソケットの提供を目的としたものである。
【課題を解決するための手段】
【００１０】
上述の如き従来の問題を解決し、初期の目的を達成する請求項１に記載の発明の特徴は、方形状の底版部と該底版部周囲の４辺部から上方に立ち上げた前後壁部及び左右壁部によって囲まれた上方開放型のカメラモジュール収容部を有するハウジングを備え、該ハウジングの前記前後壁部にコンタクトが支持され、該コンタクトのモジュールに対する接触片部を前記底版部からその上面側に突出させるとともに、該コンタクトの基板側接続端子を前記前後壁部の外面の所望高さ位置に並べて突出させ、前記ハウジングは、底版部、左右壁部及び前後壁部をシールド材によってシールドさせるとともに、前記前後壁部より突出したコンタクトの基板側接続端子の上側をシールド材によってシールドさせ、基板に対し前記ハウジングの下部を基板の表裏に貫通開口させたソケット装着窓穴内に挿入させて固定させるカメラモジュールソケットにおいて、
【００１１】
前記ハウジングの底版部と前後壁部とを構成する断面が凹溝状のモールド材と、底面シールド部とその両側縁より一体に立ち上げた左右側面シールド部とを導電性金属板材によって一体成形された断面が凹溝状の第1シールド材とを使用し、前記モールド材とシールド材とを、該モールド材の底版部下面に前記第1シールド材の底面シールド部を重ねるとともに、前記左右側面シールド部をもって該モールド材の左右の開放部を閉鎖するように組み合わせて互いに固定し、該第1シールド材の左右側面シールド部によってハウジングの前記左右壁部を構成させたことにある。
【００１２】
請求項２に記載の発明の特徴は、請求項１の構成に加え、前記両側面シールド部の前後端部上縁に前記前後壁部に対する圧入片部を一体に備えるとともに、前記モールド材の前後壁部のそれぞれの両側端部に下向きの側面シールド部固定用の圧入穴を備え、該圧入穴に前記圧入片部を圧入して前記モールド材と第1シールド材とを固定したことにある。
【００１３】
請求項３に記載の発明の特徴は、請求項１又は2の何れか1の構成に加え、前記左右壁部を構成する左右側面シールド部には、それぞれの上縁より外側に折り返した折り返し片部を一体に備え、該折り返し片部の下端を外向き水平方向に折り曲げた形状に前記基板表面に当接される対基板当接片を一体に備えたことにある。
【００１４】
請求項４に記載の発明の特徴は、請求項１〜3の何れか１の請求項の構成に加え、前記前後壁部をシールドするシールド材は、前記底面シールド部の前後縁から一体に立ち上げた壁部下側シールド片部と、前記前後壁部に支持させた壁部上側シールド片部とからなり、該上下側シールド片部間に前記コンタクトの接続端子を水平方向外側に向けて突出させ、該接続端子の上側を前記上側シールド部より外向き水平方向に突出させた接続端子シールド片部によって覆ったことにある。
【００１５】
請求項５に記載の発明の特徴は、請求項１〜４の何れか１の請求項の構成に加え、前記前後面シールド部のそれぞれの上側シールド片は、その上縁より内側下向きに折り返した固定片部を一体に有し、該固定片部を前記モールド材によって形成された前後壁部の上面に開口させた固定片圧入穴に圧入することによって固定されていることにある。
【００１６】
請求項６に記載の発明の特徴は、請求項１〜５の何れか１の請求項の構成に加え、前記左右側面シールド部のそれぞれに、その前後縁を前記前後壁部の外側に沿うように折り曲げた前・後面シールド部接触片部を一体に有し、該接触片部に前記前後面シールド部を接触させることによって互いに導通させていることにある。
【発明の効果】
【００１７】
本発明においては、上述したように、方形状の底版部と該底版部周囲の４辺部から上方に立ち上げた前後壁部及び左右壁部によって囲まれた上方開放型のカメラモジュール収容部を有するハウジングを備え、そのハウジングの下部を基板の表裏に貫通開口させたソケット装着窓穴内に挿入させて固定させるカメラモジュールソケットにおいて、前記ハウジングの底版部と前後壁部とを構成する断面が凹溝状のモールド材と、底面シールド部とその両側縁より一体に立ち上げた左右側面シールド部とを導電性金属板材によって一体成形された断面が凹溝状の第1シールド材とを使用し、前記モールド材とシールド材とを、該モールド材の底版部下面に前記第1シールド材の底面シールド部を重ねるとともに、前記左右側面シールド部をもって該モールド材の左右の開放部を閉鎖するように組み合わせて互いに固定し、該第1シールド材の左右側面シールド部によってハウジングの前記左右壁部を構成させたことにより、左右側壁部はモールド材を使用せずにシールド材のみによって構成されているため、従来品に比べ、モールド材を使用しない分だけ左右の長さが短くなり、基板に対する装着窓穴孔の大きさが小さく、基板の占有面積を小さくできる。
【００１８】
また、前記両側面シールド部の前後端部上縁に前記前後壁部に対する圧入片部を一体に備えるとともに、前記モールド材の前後壁部のそれぞれの両側端部に下向きの側面シールド部固定用の圧入穴を備え、該圧入穴に前記圧入片部を圧入して前記モールド材と第1シールド材とを固定することによってハウジングを組み立てることにより、前後壁部及び両側壁部の開きが効果的に防止されることとなり、部品数が少なく、シンプルな形状でハウジングの強固な組み立てがなされる。
【００１９】
また、本発明では、前記左右壁部を構成する左右側面シールド部には、それぞれの上縁より外側に折り返した折り返し片部を一体に備え、該折り返し片部の下端を外向き水平方向に折り曲げた形状に前記基板表面に当接される対基板当接片を一体に備えているため、基板に対するカメラモジュールの固定がより安定したものとなる。
【００２０】
また、本発明では、前記前後壁部をシールドするシールド材は、前記底面シールド部の前後縁から一体に立ち上げた壁部下側シールド片部と、前記前後壁部に支持させた壁部上側シールド片部とからなり、該上下側シールド片部間に前記コンタクトの接続端子を水平方向外側に向けて突出させ、該接続端子の上側を前記上側シールド部より外向き水平方向に突出させた接続端子シールド片部によって覆っていることにより、カメラモジュールの底面及びその周囲の窓穴挿入部分は、1枚のシールド材によって一体に形成されることとなり、シンプルで突起物の無い形状にでき、窓穴に対する嵌め合い公差を小さくでき、小型化した際にも高い精度が確保できる。
【００２１】
更に、本発明では、ハウジングの側面に突出している対基板当接片及び接続端子の突出高さ位置の変更によって、基板に対する取り付け高さが変更できるが、部品構成を違えることなく、より少ない部品の寸法を違えた設計変更によって可能となるり経済性が高い。
【図面の簡単な説明】
【００２２】
【図１】本発明に係るカメラモジュールソケットの実施例を示す斜視図である。
【図２】同カメラモジュールソケットの分解斜視図である。
【図３】同カメラモジュールソケットの平面図である。
【図４】同正面図である。
【図５】同側面図である。
【図６】図1に示した実施例のカメラモジュールソケットに使用しているコンタクトの斜視図である。
【図７】同カメラモジュールソケットの基板に対する実装及びカメラモジュール装着状態を示す部分縦断面図である。
【発明を実施するための形態】
【実施例１】
【００２３】
図１〜図７は本発明の第一実施例に係るカメラモジュールソケットを示している。このソケットは、図１に示すように、方形状をした底版部１と、その周囲の4辺から立ち上げた形状の前壁部２、後壁部３、左壁部４及び右壁部５からなる周壁とによって、方形状をした上方開放型のハウジングが構成されている。そのハウジングの前記周壁によって囲まれた部分がカメラモジュール収容部となっている。
【００２４】
このソケットは、図２に示すように、絶縁性合成樹脂によりモールド成形されたモールド材Ａと、導電性金属材からなる第１〜第３のシールド材Ｂ〜Ｄ及び多数のコンタクトＥによって構成されている。
【００２５】
モールド材Ａは、底版部１とその前後縁から立ち上げた形状の前壁部２及び後壁部３とを一体形成した凹溝状をしており、これにコンタクトＥが保持されている。
【００２６】
第１シールド材Ｂは、底版部１の下側を覆う底面シールド部６と、その両縁から立ち上げた形状の左側面シールド部７及び右側面シールド部８とが一体に成形された凹溝状をしており、モールド材Ａの底版部１下に底面氏ヘルド部６を重ね、左右側面シールド部７，８によってモールド材Ａの左右の開放部を閉鎖させるように組み立てられており、この左右側面シールド部７，８によって前記ハウジングの左右壁部４，５が構成されている。
【００２７】
左右側面シールド部７，８のそれぞれの前後端部には、互いに向き合う方向に折り曲げた折り曲げ片９，９......を有し、これがモールド材Ａの前後壁部２，３の左右端部外側に添わされている。
【００２８】
第１シールド材Ｂの左右側面シールド部７，８のそれぞれには、その上縁を下向きＵ字状の折り返し部を介して下向き折り返し片部７ａ，８ａが一体に備えられており、その区折り返し片の下端を外向き水平方向に折り曲げて形成された対基板当接片７ｂ，８ｂが一体に形成されている。この各対基板当接片７ａ，８ａが後述する基板のアース端子に半田付けされるようになっている。
【００２９】
また、左右側面シールド部７，８のそれぞれの上縁の前後端部には、それぞれ、モールド材Ａに対して圧入される圧入片部９，９......が、上向きに一体成形されている。一方モールド材Ａには、前後壁部２，３のそれぞれの左右端部には、左右壁部側に折り曲げた形状の側面シールド固定用凸部２ａ，２ａ，３ａ，３ａが一体に形成され、前後壁部の上縁及び側面シールド固定用凸部２ａ，３ａに連続させてフランジ状の厚肉に形成されており、その側面シールド固定用凸部２ａ，３ａの上下に貫通して前記圧入片部９，９......がそれぞれ圧入されるスリット状の圧入穴１０，１０......が形成され、この各圧入穴１０に対応する圧入片９を圧入することによってモールド材Ａと第１シールド材Ｂとが固定されて、内部にカメラモジュール収容部を有するハウジングが形成されている。
【００３０】
左右側面シールド部７，８には、それぞれハウジング内に突出させたカメラモジュールの側面を押圧して水平方向の位置決めをなすための一対のカメラモジュール押圧用バネ片１１，１１がそれぞれ切り起こしによって形成されている。
【００３１】
左右側面シールド部７，８のそれぞれの前後端部には、互いに向き合う方向に折り曲げた壁部上側シールド片部接触片７ｃ，７ｃ，８ｃ，８ｃを有し、これがモールド材Ａの前後壁部２，３の左右端部外側に添わされており、これに後述する壁部上側シールド片部４０が接触し互いにアース側に導通されるようになっている。
【００３２】
モールド材Ａには、その前壁部２から底版部１に、また構壁部３から底版部１に跨って、多数のコンタクト収容溝１２，１２......が形成されており、この各コンタクト収容溝１２内にコンタクトＥが挿入されて固定されている。
【００３３】
コンタクトＥは、図６に示すように、全体が導電性の弾性金属材板材を打ち抜き、これを折り曲げて形成されているものであり、中央部分に縦向きの固定片部２０があり、その両縁に圧入用の突片２０ａ，２０ａが形成されている。
【００３４】
固定片部２０の前面側には、その上端を下向きに折り曲げた形状の湾曲部２１を介して弾性接触片部２２が一体に形成されている。この弾性片部２２は、湾曲部２１より前方斜め下向きの下向き片部２２ａと、その下端を前方斜め稍上向きに延びる接触片部２２ｂとを有しており、その接触片部２２ｂの先端部が水平稍下向きに湾曲され、その湾曲した部分の上面に突起状の接点２２ｃが形成されている。
【００３５】
固定片部２０の背面側には、その下端を上向きに折り曲げた形状の湾曲部２３を介して立ち上がり片部２４が一体に形成され、その立ち上がり片部２４の上端を背面側水平方向に折り曲げて接続端子２５が一体に形成されている。
【００３６】
このように構成されるコンタクトＥは、各コンタクト収容溝１２内に装着され、その接触片部２２ｂを底版部１に上下に貫通して形成した接触片収容凹部３３内より接点２２ｃ部分が底版部１の上面側に突出させ、接続端子２４が前壁部２又は後壁部３よりその外側に突出させて装着されている。
【００３７】
尚、コンタクト収容溝１２は図７に示すように、前後壁部２及び３のそれぞれの外面側に、スリット状の立ち上がり片収容部３０が、壁部の下面に下端を開放した状態に形成され、その内側に連続して固定片圧入部３１が、更にその内側に下向き片収容部３２が形成され、下向き片収容部３２に連続して底版部１に接触片収容部３３が形成されている。コンタクトＥは、これらの各収容部３０〜３３に対応する各部分が収容されて組み込まれている。
【００３８】
第２シールド材Ｃ及び第３シールド材Ｄは同一形状をしており、両者によって前後壁部２，３の接続端子突出部分より上側及び接続端子の上側をシールドしている。この両シールド材Ｃ，Ｄは平板状をした壁部上側シールド片部４０を有し、これが壁部２又は３の外面上部側に添って重ねられている。
【００３９】
この壁部上側シールド片部４０の下縁を水平外向きに折り曲げた形状に、接続端子２５，２５......の上側を覆う接続端子シールド片部４１が一体に形成されている。この接続端子シールド片部４１は、コンタクトＥの接続端子２５の突出長さと略同じ長さに突出されており、その先端縁に、各接続端子２５を挟む配置の櫛歯状をした垂下シールド片部４１ａが、接続端子２５の数に応じた数だけ形成されている。
【００４０】
壁部上側シールド片部４０の両端部には、接続端子シールド片部４１の端部より外側に、基板上面に達し、該接続端子シールド片部４１と略同じ長さだけ突出された対基板当接片４２，４２が形成されており、必要に応じ、基板のアース端子に半田付けされるようになっている。
【００４１】
この壁部上側シールド片部４０の固定は、その上縁の複数個所（本実施例では４箇所）に、下向きコ字状に折り返して固定片４５が形成され、この各固定片４２を壁部２，３の頂面に形成したスリット状の固定片圧入用穴４６に圧入することにより、各壁部２，３の外側に固定されている。
【００４２】
また、この壁部上側シールド片部４０と一体に、１つのカメラモジュール抜け止め用バネ片４８と２つのカメラモジュール側面押圧用バネ片４９とが形成されており、これらは、図２に示すように壁部上側シールド片部４０の上縁を折り返した形状に形成され、前後壁部２，３の内側のバネ片収容凹部５０，５１より弾性的に突出されている。
【００４３】
前後壁部２，３の接続端子突出高さ位置より下側には、第１シールド部材Ｂの底面シールド部６の前後縁より上方に立ち上げた壁部下側シールド片部５２が、外面に添わされており、これによって前後壁部２，３の下側がシールドされている。
【００４４】
このように構成されるカメラモジュールソケットは、これを基板に対する取付は、図７に示すように、基板６０にソケット挿入用の窓穴６１を形成し、その周囲の基板表面に、所定のパターン端子６２を配線しておき、窓穴６１内にソケットの下半部を挿入し、接続端子２５及び対基板当接片７ｂ，８ｂ及び４２を半田付けすることによって実装する。
【００４５】
このカメラモジュールソケットの基板に対する取り付け高さを違えたものとする設計の変更は、接続端子２５の前後壁部２，３に対する突出位置の高さ、その上の接続端子シールド片部４１の突出高さ、及び第1シールド材の左右壁部７，８からの対基板当接片７ｂ，８ｂの突出高さを変更することによってなすことができる。
【００４６】
コンタクト収容溝１２の立ち上がり片収容部３０の上端部の高さが、接続端子２５の最高突出高さ位置を決定するものであり、コンタクトＥの立ち上がり片部２４の長さｈ１を変更することによって、接続端子２５の突出位置の高さが変更され、接続端子シールド片部４１の突出高さ位置変更は、第2、第3シールド材の壁部上側シールド片部４１の上下の長さｈ２を変更することにより、また、対基板当接片４２突出高さ位置変更は、下向き折り返し片部７ａ，８ａの上下の長さｈ３を変更することによってなされる。
【００４７】
尚、接続端子２５の突出位置の高さが変更に伴って、その下側の壁部下側シールド片部５２の上下の長さｈ４も変更する。
【００４８】
また、接続端子シールド片部４１の両側の対基板当接片４２の突出高さは、第2、第3シールド材の壁部上側シールド片部４０の上下の長さｈ２を変更することにより共に変更される。
【００４９】
また、このソケットに対するカメラモジュールＦの装着は、図７に示すようにハウジング内にその開口部からカメラモジュールＦを所定の深さまで挿入することによって、カメラモジュールＦの底面に露出している接点部（図示せず）に、コンタクトＥの接点２２ｃが弾性片部２２の弾力によって所定の接触圧によって接続されるとともに、カメラモジュール抜け止め用バネ片４８がカメラモジュールＦの側面の係止段部６３に係合して抜け止めし、各カメラモジュール側面押圧用バネ片４９によってカメラモジュールＦの側面を押圧し、指定の位置に位置決めする。
【符号の説明】
【００５０】
Ａ  モールド材
Ｂ  第１シールド材
Ｃ  第２シールド材
Ｄ  第３シールド材
Ｅ  コンタクト
Ｆ  カメラモジュール
１  底版部
２  前壁部
２ａ，２ａ  側面シールド固定用凸部
３  後壁部
３ａ，３ａ  側面シールド固定用凸部
４  左壁部
５  右壁部
６  底面シールド部
７  左側面シールド部
８  右側面シールド部
７ａ，８ａ  下向き折り返し片部
７ｂ，８ｂ  対基板当接片
７ｃ，８ｃ  シールド片部接触片
９  圧入片部
１０  圧入穴
１１  カメラモジュール押圧用バネ片
１２  コンタクト収容溝
２０  固定片部
２０ａ  突片
２１  湾曲部
２２  弾性片部
２２ａ  下向き片部
２２ｂ  接触片部
２２ｃ  接点
２３  湾曲部
２４  立ち上がり片部
２５  接続端子
３０  立ち上がり片収容部
３１  固定片圧入部
３２  下向き片収容部
３３  接触片収容部
４０  壁部上側シールド片部
４１  接続端子シールド片部
４１ａ  垂下シールド片部
４２  対基板当接片
４５  固定片
４６  圧入用穴
４８  カメラモジュール抜け止め用バネ片
４９  カメラモジュール側面押圧用バネ片
５０，５１  バネ片収容凹部
５２  壁部下側シールド片部
６０  基板
６１  ソケット装着窓穴
６２  パターン端子
【図１】
2011028902.tif 000003
【図２】
2011028902.tif 000004
【図３】
2011028902.tif 000005
【図４】
2011028902.tif 000006
【図５】
2011028902.tif 000007
【図６】
2011028902.tif 000008
【図７】
2011028902.tif 000009